(57)【特許請求の範囲】
【請求項１】
二つのシャッタ地板の間を仕切って二つの羽根室を形成しており該二つのシャッタ地板との三者のいずれかによって円形の露光用開口部を規制するようにした隔壁板と、各々が３枚以上のシャッタ羽根で構成されていて前記各羽根室内に別々に配置されており各シャッタ羽根はその支点部において同時に同方向へ回転することによって前記開口部の開き位置と閉じ位置との間を往復作動し得るようにされていて露光作動時においては一方の各シャッタ羽根が閉じ位置から作動して前記開口部を開き他方の各シャッタ羽根が開き位置から作動して前記開口部を閉じるようにした二つの羽根群と、各々が前記開口部を囲むように環状又は円弧状をしていて前記各羽根室内において前記各シャッタ羽根の動点部に連結されており光軸を横切る方向へ往復作動することによって前記各シャッタ羽根を往復作動させる二つのリンク部材と、各々が別の駆動手段によって往復作動させられ前記各リンク部材に往復作動を行わせる二つの作動部材とを備えていて、露光作動時に開き位置から作動して前記開口部を閉じる羽根群が、カメラの不使用時においては他の羽根群と共に前記開口部を閉じており、露光作動に先立って開き位置に作動されるようにしたことを特徴とするカメラ用シャッタ。
【請求項２】
少なくとも一方の前記作動部材と、該作動部材によって動かされる前記リンク部材とが、ピンと長孔との嵌合関係によって連結されていることを特徴とする請求項１に記載のカメラ用シャッタ。
【請求項３】
ピンと長孔との嵌合関係によって連結されている前記リンク部材が、ばねによってその往復作動の一方向に付勢されていることを特徴とする請求項２に記載のカメラ用シャッタ。
【請求項４】
少なくとも一方の前記作動部材と、該作動部材によって動かされる前記リンク部材とが、該リンク部材を付勢しているばねによる接触関係によって連結されていることを特徴とする請求項１に記載のカメラ用シャッタ。
【請求項５】
少なくとも一方の前記駆動手段が、所定の角度範囲で往復回転する永久磁石製の回転子を備えたムービングマグネット型モータであることを特徴とする請求項１乃至４の何れかに記載のカメラ用シャッタ。
【請求項６】
前記作動部材が、前記ムービングマグネット型モータの回転子と一体に構成されていることを特徴とする請求項５に記載のカメラ用シャッタ。
【請求項７】
前記ムービングマグネット型モータの固定子には、前記回転子に対向する所定の位置に磁性体部材が備えられていて、該モータの非通電時において、前記回転子が、該磁性体部材との間に作用する磁力により、その回転停止位置を維持されているようにしたことを特徴とする請求項５又は６に記載のカメラ用シャッタ。
【発明の詳細な説明】
【０００１】
【発明の属する技術分野】
本発明は、フィルムの露光作動に際して、複数枚のシャッタ羽根が、円形をした露光用の開口部を開閉するようにしたカメラ用シャッタに関する。
【０００２】
【従来の技術】
この種のシャッタは、レンズシャッタと言われているものであって、露光作動に際して、複数のシャッタ羽根が、露光用の開口部を、光軸中心から開いて行き、その後、光軸中心に向けて閉じて行くようにしたものである。そして、その作動中は、複数のシャッタ羽根によって、常に円形に近い開口形状を保てるようにするのが理想とされている。そのため、古くは、複数のシャッタ羽根を露光用の開口部の周辺位置に等間隔に配置し、それらを、光軸を中心にして往復回転する駆動リングによって作動させていた。しかも、駆動リングの回転は、ばね力のみによって行われていた。しかしながら、このようなシャッタは、駆動リングが、シャッタ地板面に対して略全周にわたって形成された溝の中に配置されるようにしていたため、加工コストが高く、また、平面摩擦抵抗はともかくとして、極めて大きな周面摩擦抵抗が生じ、高速化には自ずと限界があった。
【０００３】
その後、フィルム技術やレンズ技術の進歩と共に、上記した作動中の開口形状については、多少であれば崩れた形状でも許されるようになり、むしろ低コスト化の方が重視されるようになってきた。そのため、駆動リングを用いるものはプロ用のカメラに採用される大型シャッタを除いては姿を消し、それに代わって、相対的に往復作動を行う２枚羽根のシャッタが主流になってきた。しかしながら、作動中の開口形状を大きく崩すわけにはいかないので、２枚羽根シャッタとしての可能な範囲において、理想に少しでも近い形状が得られるように設計され、個々の羽根の形状も、それに沿って決められていた。しかし、その後、ＩＸ２４０カートリッジフィルム（ＡＰＳフィルム）の出現もあって、低コスト化は勿論であるが、小型化，電動化についての要請が大きくなり、中でも特に小型化についての要請が大きくなってきた。
【０００４】
言うまでもなく、レンズシャッタの内径は、レンズの口径によって決まってしまう。従って、レンズシャッタを小型化するということは、全体の寸法を単純に小さくするということではない。機構配置部分を如何にしてコンパクト化するかということである。このことは、露光用の開口部を全開にした場合におけるシャッタ羽根の平面的な収容スペースを如何に小さくするかということにほかならない。しかしながら、上記した２枚羽根構成のシャッタにおいては、既に可能な限りの小型化が行われており、これ以上小型化しようとすると、上記した作動中における開口形状を、許せる範囲内に維持できなくなってしまう。
【０００５】
そこで、更に小型化するためには、シャッタ羽根を３枚以上にし、１枚当たりの平面積を小さくすると共に、それらを、光軸を中心にして、略等間隔に配置することが必要になるが、上記した理由によって、またコストの面からも、従来のような駆動リングを用いることができない。そのため、周面摩擦抵抗力が生じない薄い板材で製作した環状又は円弧状のリンク部材と称する作動部材を設け、それに３枚以上のシャッタ羽根を連結させて、該リンク部材を光軸を横切る方向へ往復作動させることによって、シャッタ羽根に露光用開口部の開閉作動を行わせるようにしたシャッタが本出願人から提案され、実開平７−５１３１号公報，特開平７−１３２１８号公報等で知られている。
【０００６】
ところで、通常の場合、レンズシャッタは、一組のシャッタ羽根が往復作動することによってフィルムの露光を行うが、シャッタ羽根の開き作動から閉じ作動に移るときには一時的に停止する瞬間が必ずあり、直ちには急速に閉じ作動を行えない。そのため、通常のレンズシャッタは、基本的には、高速の露光時間が得にくいとされている。上記の公報に記載されたシャッタも、当然のことながら、そのような問題点を有している。そこで、夫々、専用のリンク部材によって作動させられる３枚以上のシャッタ羽根を二組備え、一方の羽根群がフィルム露光のための開き作動を行い、他方の羽根群が閉じ作動を行うようにすることによって、高速化と作動の安定化を可能にしたカメラ用シャッタが、特願平９−１４１６４２号（特開平１０−３３３２０８号）によって本出願人から提案されている。
【０００７】
他方、シャッタの駆動源としては、古くからコイルばねが使用されており、現在でもそれが主流になっている。しかし、最近では、撮影ごとにシャッタの駆動機構をセットしなくて済むという観点から、駆動源にモータを使用するものが増えてきた。上記の二つの公報に記載されたシャッタは、いずれもモータを駆動源としている。そして、モータの種類としては、大きな駆動力が得られることから、当初はステッピングモータを使用することが考えられていたが、ステッピングモータは、小型化が容易でなく、また小型化すると高価になるという問題点があった。そこで、現在では、ステッピングモータより低コストであって、小型化に対応し易いムービングマグネット型モータと称されているモータの使用が注目されている。
【０００８】
このムービングマグネット型モータは、コイルへの通電方向によって永久磁石（通常、２極）の回転子を所定の角度範囲で往復作動させるのが特徴であって、上記の二つの公報のうち、特開平７−１３２１８号公報に記載されたシャッタには、そのムービングマグネット型モータが使用されている。しかし、ムービングマグネット型モータは、ステッピングモータと比較した場合、上記したように低コストであり且つ小型化に対応し易い反面、駆動力が大きいとは言えず、特に、起動性に難がある。そのため、通電してから所定の駆動力が得られるまでの時間が長く掛かり且つ駆動力が負荷の僅かなバラツキや供給電圧（バッテリー電圧とは限らない）の変化によって左右され易く、安定して高速を得るのが難しい。そのため、上記の特願平９−１４１６４２号で提案されたシャッタにおいては、リンク部材にばねを掛け、該リンク部材を、露光時の開き作動方向に付勢し、開き速度が早く且つ安定して得られるようにしている。
【０００９】
【発明が解決しようとする課題】
本発明は、上記の特願平９−１４１６４２号（特開平１０−３３３２０８号）で提案されたシャッタのように、専用のリンク部材によって作動させられる３枚以上のシャッタ羽根を二組備え、一方の羽根群がフィルム露光のための開き作動を行い、他方の羽根群が閉じ作動を行うようにしたカメラ用シャッタに関するものである。
ところで、最近では、好んで高感度フィルムが使用されるようになったため、カメラの不使用時における漏光防止についての基準が一段と厳しくなってきている。そのため、この種のシャッタにおいても、これまで以上に効果的な漏光対策が必要になっている。
【００１０】
他方、この種のシャッタは、上記したように、作動中の開口形状を、光軸を中心にして好適な形状に維持することができることと、シャッタ速度の高速化及び安定化が容易であることから、レンズ口径の大きな比較的高級なカメラに採用されることが期待されている。しかし、レンズ口径が大きくなる（即ち、露光用開口部が大きくなる）ということは、シャッタ羽根の枚数が同じである場合には必然的に各シャッタ羽根の平面積が大きくなるということであるから、シャッタ羽根の平面度を得るのが難しくなり且つ振動によって撓み易くなってしまう。そのため、好適な漏光対策が必要になる。また、その反面、シャッタ羽根の平面積が大きくなるということは、負荷が大きくなるということに繋がるから、もしも何らかの方法によって漏光対策が充分であるならば、高速化やコンパクト化を有利にするためにも、閉鎖時における各シャッタ羽根の重合面積を出来るだけ少なくし、シャッタ羽根の平面積を小さくしたいところである。
【００１１】
本発明は、このような問題点を解決するためになされたものであり、その目的とするところは、夫々３枚以上のシャッタ羽根で構成された二組の羽根群が、環状又は円弧状をしていて光軸を横切る方向へ往復作動する二つのリンク部材に別々に取り付けられていて、一方の羽根群がフィルム露光のための開き作動を行い、他方の羽根群が閉じ作動を行うように構成したシャッタであって、シャッタの高速性能やコンパクト性を損なうことなしに、カメラの不使用時における漏光防止を可能にしたカメラ用シャッタを提供することである。
【００１２】
【課題を解決するための手段】
上記の目的を達成するために、本発明におけるカメラ用シャッタは、二つのシャッタ地板の間を仕切って二つの羽根室を形成しており該二つのシャッタ地板との三者のいずれかによって円形の露光用開口部を規制するようにした隔壁板と、各々が３枚以上のシャッタ羽根で構成されていて前記各羽根室内に別々に配置されており各シャッタ羽根はその支点部において同時に同方向へ回転することによって前記開口部の開き位置と閉じ位置との間を往復作動し得るようにされていて露光作動時においては一方の各シャッタ羽根が閉じ位置から作動して前記開口部を開き他方の各シャッタ羽根が開き位置から作動して前記開口部を閉じるようにした二つの羽根群と、各々が前記開口部を囲むように環状又は円弧状をしていて前記各羽根室内において前記各シャッタ羽根の動点部に連結されており光軸を横切る方向へ往復作動することによって前記各シャッタ羽根を往復作動させる二つのリンク部材と、各々が別の駆動手段によって往復作動させられ前記各リンク部材に往復作動を行わせる二つの作動部材とを備えていて、露光作動時に開き位置から作動して前記開口部を閉じる羽根群が、カメラの不使用時においては他の羽根群と共に前記開口部を閉じており、露光作動に先立って開き位置に作動されるようにする。
また、本発明におけるカメラ用シャッタは、好ましくは、少なくとも一方の前記作動部材と、該作動部材によって動かされる前記リンク部材とが、ピンと長孔との嵌合関係によって連結されているようにする。
その場合、好ましくは、ピンと長孔との嵌合関係によって連結されている前記リンク部材が、ばねによってその往復作動の一方向に付勢されているようにする。
また、本発明におけるカメラ用シャッタは、好ましくは、少なくとも一方の前記作動部材と、該作動部材によって動かされる前記リンク部材とが、該リンク部材を付勢しているばねによる接触関係によって連結されているようにする。
また、本発明におけるカメラ用シャッタは、好ましくは、少なくとも一方の前記駆動手段が、所定の角度範囲で往復回転する永久磁石製の回転子を備えたムービングマグネット型モータであるようにする。
その場合、好ましくは、前記作動部材が、前記ムービングマグネット型モータの回転子と一体に構成されているようにする。
更に、好ましくは、前記ムービングマグネット型モータの固定子には、前記回転子に対向する所定の位置に磁性体部材が備えられていて、該モータの非通電時において、前記回転子が、該磁性体部材との間に作用する磁力により、その回転停止位置を維持されているようにする。
【００１３】
【発明の実施の形態】
本発明の実施の形態を図示した二つの実施例で説明する。尚、図１〜図６は本発明の第１実施例を示したものであって、図１は第１実施例の全体像を理解するのに必要な断面図であり、図２（ａ），図２（ｂ）は夫々ムービングマグネット型モータの要部の機能を説明するための説明図である。また、図３〜図６は第１実施例の作動状態を説明するのに必要な平面図であって、図３はカメラの不使用時の状態を示し、図４は露光作動開始直前の状態を示し、図５は全開状態を示し、図６は露光作動終了直後の状態を示している。そして、図３〜図６の各図において、図（ａ）は図１における隔壁板を境にして左方向を視た開き用羽根群の作動状態を示し、図（ｂ）は図１における隔壁板を境にして右方向を視た閉じ用羽根群の作動状態を示している。更に、図７及び図８は本発明の第２実施例の要部のみを示した平面図であって、図７はカメラの不使用時における開き用羽根群を示し、図８はカメラの不使用時における閉じ用羽根群を示している。
【００１４】
最初に、本発明の第１実施例の構成を、主に図１〜図３を用いて説明する。図１に示すように、本実施例においては、二つのシャッタ地板１，２の間を隔壁板３で仕切ることによって二つの羽根室を形成している。図３（ａ）は隔壁板３から左側の羽根室を視た図であって、そこには開き用羽根群の開閉機構が示されており、また、図３（ｂ）は隔壁板３から右側の羽根室を視た図であって、そこには閉じ用羽根群の開閉機構が示されている。シャッタ地板１，２と隔壁板３は、共に合成樹脂製であって、夫々、光軸を中心にした円形の開口部１ａ，２ａ，３ａを形成している。これらのうち、開口部２ａ，３ａは、いずれもシャッタ地板１の開口部１ａよりも直径が僅かに大きいため、シャッタとしての露光用開口部は開口部１ａによって規制されるようになっている。
【００１５】
シャッタ地板１の外周縁には、図の手前側に張り出した壁１ｂが形成されており、また外周縁近傍位置の３箇所に、ねじ孔を有する台座１ｃ，１ｃ，１ｃが形成されている。同様にして、シャッタ地板２の外周縁にも壁２ｂが形成されており、上記の台座１ｃ，１ｃ，１ｃに対応する３箇所に、ねじ孔を有する台座２ｃ，２ｃ，２ｃが形成されている。図示していないが、隔壁板３にもそれらに対応する３箇所に孔が形成されていて、シャッタ地板１，２と隔壁板３の取り付けは、それらの孔にビスを螺合させることによって行われている。実際には、このほかにもカメラ本体への取り付け孔が形成されているが、図示を省略してある。
【００１６】
図３（ａ）において、開き用羽根群の羽根室内には、環状をしたリンク部材４と、３枚のシャッタ羽根５，６，７が配置されているが、その配置順序は、紙面から手前側に向けてリンク部材４，シャッタ羽根５，シャッタ羽根６，シャッタ羽根７となっている。そして、組立状態においては、シャッタ羽根７は、実際には隔壁板３に面接触しておらず、隔壁板３から羽根室側に突き出るように形成された図示していないガイド部に摺接するようになっていて、摩擦抵抗力が少なくなるようにしてある。また、リンク部材４には横長の長孔４ａ、係接部４ｂ、三つの張出部４ｃ，４ｄ，４ｅ、縦長の三つの長孔４ｆ，４ｇ，４ｈが形成されて、シャッタ羽根７には先端に突起部７ａが形成されている。
【００１７】
リンク部材４に形成されている張出部４ｃ，４ｄ，４ｅは、夫々、シャッタ地板１に形成されている棚状の受け部１ｄ，１ｅ，１ｆに載置されている。更に、長孔４ｆ，４ｇ，４ｈは、夫々、シャッタ地板１に立設された軸１ｇ，１ｈ，１ｉに緩く嵌合され、それらの軸によってリンク部材２の作動が制限されないようになっている。尚、本実施例においては、作動中において、リンク部材４がシャッタ地板１に対して面接触して摺動するのは受け部１ｄ，１ｅ，１ｆに対してだけであるため、極めて摩擦抵抗力が小さく、リンク部材４はスムーズに作動させられるようになっている。しかし、本発明は、この構成に限定されるものではなく、必要に応じて最小限の支承面をシャッタ地板１に設けることを妨げるものではない。
【００１８】
また、シャッタ羽根５，６，７は、夫々、それらに形成された孔を軸１ｇ，１ｈ，１ｉに回転可能に嵌合させ、その嵌合部を支点にして開口部１ａの開閉作動を行い得るようになっている。更に、各シャッタ羽根５，６，７は、夫々、連結軸８，９，１０によってリンク部材４に取り付けられている。各連結軸８，９，１０はリベット部品であって、リンク部材４の背面側から挿入され、各シャッタ羽根５，６，７の表面側にかしめられている。そのため、リンク部材４と各連結軸８，９，１０との間は可動になっており、連結軸８，９，１０が各シャッタ羽根５，６，７の動点部となっている。また、シャッタ羽根７に形成された突起部７ａは、羽根室外に取り付けられているフォトリフレクタから羽根室内へ出射されている光路を、作動開始の初期段階において遮断するためのものであるが、そのような羽根位置の検出機構は、レンズシャッタにおいては周知であるため、それに関係する構成の図示は省略されている。
【００１９】
シャッタ地板１の背面側にはムービングマグネット型モータＭ１が取り付けられており、その具体的な構成は後述するが、図３（ａ）には、その回転子１１のみが示されている。また、この回転子１１には作動部材１２が一体的に構成されていて、その作動ピン１２ａが、シャッタ地板１に形成された円弧状の長孔１ｊを貫通し、羽根室内においてリンク部材４の長孔４ａに嵌合している。更に、シャッタ地板１の背面側には、ばね１３を巻回する軸１ｋとばね掛け部１ｍが形成されている。そして、上記のばね１３は、一端が該ばね掛け部１ｍに掛けられ、他端が折り曲げられて窓部１ｎから羽根室内に挿入され、リンク部材４の係接部４ｂに掛けられている。従って、図３（ａ）においてリンク部材４は、ばね１３によって上方へ作動するように付勢されている。
【００２０】
他方、図３（ｂ）には、閉じ用羽根群の羽根室内の構成が示されている。しかし、その構成は、図３（ａ）に示した開き用羽根群の羽根室内の構成と略同じであるから、重複する点は出来るだけ簡略に説明する。羽根室内には、図３（ｂ）の紙面から手前側に向けて順に、リンク部材１４，シャッタ羽根１５，シャッタ羽根１６，シャッタ羽根１７が配置されている。また、シャッタ羽根１７は、隔壁板３から羽根室側に突き出た図示していないガイド部に摺接するようになっていて、摩擦抵抗力が少なくなるようにしてある。
【００２１】
リンク部材１４には、横長の二つの長孔１４ａ，１４ｂ、三つの張出部１４ｃ，１４ｄ，１４ｅ、縦長の三つの長孔１４ｆ，１４ｇ，１４ｈが形成されていて、張出部１４ｃ，１４ｄ，１４ｅは、シャッタ地板２に形成された受け部２ｄ，２ｅ，２ｆに載置されている。また、長孔１４ｆ，１４ｇ，１４ｈは、シャッタ地板２に立設された軸２ｇ，２ｈ，２ｉに緩く嵌合されいる。
【００２２】
シャッタ羽根１５，１６，１７は、夫々、それらの孔を軸２ｇ，２ｈ，２ｉに回転可能に嵌合させ、それらの嵌合部を支点にして往復回動が可能になっている。また、各シャッタ羽根１５，１６，１７は、夫々、リベット部品である連結軸１８，１９，２０によってリンク部材１４に取り付けられている。そのため、連結軸１８，１９，２０が各シャッタ羽根１５，１６，１７の動点部となっている。尚、シャッタ羽根１７の先端に突起部１７ａが形成されているが、これはシャッタ羽根７との共通部品化を図っているだけであり、機能的な意味はない。
【００２３】
また、シャッタ地板２の背面側にはムービングマグネット型モータＭ２が取り付けられている。このモータの構成については、ムービングマグネット型モータＭ１の構成と一緒に後述するが、図３（ｂ）においては回転子２１のみが示されている。この回転子２１には作動部材２２が一体的に構成されていて、その作動ピン２２ａが、シャッタ地板２に形成された円弧状の長孔２ｊを貫通し、羽根室内でリンク部材１４の長孔１４ａに嵌合している。更に、シャッタ地板２の背面側には、ばね２３を巻回する軸２ｋとばね掛け部２ｍが形成されている。そして、ばね２３は、一端が該ばね掛け部２ｍに掛けられ、他端が折り曲げられて窓部２ｎから羽根室内に挿入され、リンク部材１４の長孔１４ｂに掛けられている。従って、図３（ｂ）においてリンク部材１４は、ばね２３によって上方へ作動するように付勢されている。
【００２４】
ところで、既に述べたようにムービングマグネット型モータの構成は周知であるが、主に、図１及び図２を用いて簡単に説明しておく。本実施例においては、開き用羽根群を駆動するムービングマグネット型モータＭ１と閉じ用羽根群を駆動するムービングマグネット型モータＭ２とは全く同じ構成をしている。回転子１１，２１は永久磁石製であって２極に着磁されている。その磁極配置については、回転子１１を示した図２の説明図から理解することができる。この回転子１１，２１の回転軸は合成樹脂製であり、作動部材１２，２２と一体成形されている。従って、作動部材１２，２２の先端に設けられている作動ピン１２ａ，２２ａも合成樹脂製である。しかし、これらの回転子１１，２１と作動部材１２，２２の両方を、予め磁性体材料の粉末を混入した樹脂材料によって一体成形することも知られている。
【００２５】
このような回転子１１，２１は、夫々、上枠２４，２５と下枠２６，２７によって軸受けされており、それらを束ねるようにしてコイル２８，２９が巻かれている。また、コップ状をした上枠２４，２５とコイル２８，２９を囲むようにして、円筒形をしたヨーク３０，３１が取り付けられている。そして、これらのモータＭ１，Ｍ２は、夫々、二つのビス３２，３２，３３，３３によって各シャッタ地板１，２に取り付けられている。また、固定子を構成する上枠２４，２５の一部には、周知のように、棒状の磁性体部材が、回転子１１，２１の周面に対向するようにして、回転子１１，２１の回転軸に対し平行に配置されている。図２においては、上枠２４に取り付けられたそのような磁性体部材３４と、回転子１１との配置関係が理解できるように示されている。
【００２６】
次に、本実施例の作動を説明する。図３（ａ），図３（ｂ）は、カメラが使用されていない状態における各羽根室内の状態を示している。このとき、ムービングマグネット型モータＭ１，Ｍ２のコイル２８，２９は、いずれも非通電状態である。しかし、回転子１１，２１は、上記したように、ムービングマグネット型モータＭ１，Ｍ２の上枠２４，２５に設けられた磁性体部材との間に作用している磁力により、この状態を確実に維持されている。
【００２７】
即ち、このとき、一方の回転子１１の磁極と磁性体部材３４との位置関係は、図２（ａ）に示されたようになっている。そのため、磁性体部材３４と、回転子１１のＮ極との間に引力として働く磁力によって、回転子１１には矢印Ａのように時計方向へ回転する力が働いている。そして、その回転力が、ばね１３の付勢力よりも充分に大きいため、図３（ａ）に示すように、作動ピン１２ａが円弧状の長孔１ｊの下端部に接触させられ、その状態が維持されているわけである。他方、回転子２１については、磁性体部材との位置関係を図示していないが、それらの相対位置関係は、図２（ｂ）に示されている、磁性体部材３４と回転子１１との関係と同じ関係になっている。そのため、回転子２１には矢印Ｂのように反時計方向への回転力が付与されており、更にばね２３の付勢力も加わって、図３（ｂ）に示すように、作動ピン２２ａが円弧状の長孔２ｊの上端部に接触させられ、その状態が維持されている。
【００２８】
このように、本実施例においては、カメラの不使用時には、開き用羽根群のシャッタ羽根５，６，７と閉じ用羽根群のシャッタ羽根１５，１６，１７の両者が露光用開口部（開口部１ａ）を覆っているので、一方の羽根群のシャッタ羽根（例えばシャッタ羽根５，６，７）のみによって覆っている場合に比較し、フィルム面に対する漏光が確実に防止されている。尚、ばね２３の付勢力のみによって、シャッタ羽根１５，１６，１７の閉じ状態を確実に維持できるのであれば、モータＭ２の上枠２５には、敢えて磁性体部材を設ける必要はない。また、逆に、磁性体部材を設けることによって、シャッタ羽根１５，１６，１７の閉じ状態を確実に維持できるのであれば、ばね２３は不要である。しかし、ばね２３を設けておくと、後述するように、シャッタ羽根１５，１６，１７の閉じ作動が速くなり、且つモータＭ２に対する供給電圧の変動等に対して安定した作動が行われるようになる。
【００２９】
この状態においてシャッタボタンが押されると、先ず電源スイッチが閉じ、シャッタ地板１に取り付けられている図示していないフォトリフレクタが通電状態となる。それによって、発光部から羽根室内に出射された光は、隔壁板３に取り付けられた図示していない反射シートで反射され、受光部に入射する。このようなフォトリフレクタへの通電と並行して、ムービングマグネット型モータＭ２のコイル２９に、一方方向への通電が行われると、コイル２９に発生した磁界により回転子２１と磁性体部材による閉鎖状態の維持力が失われ、同時に回転子２１が図３（ｂ）において時計方向へ回転し、作動ピン２２ａが、ばね２３の力に抗してリンク部材１４を下方へ作動させる。
【００３０】
それによって、シャッタ羽根１５，１６，１７は、軸２ｇ，２ｈ，２ｉを支点にして時計方向へ回転され、露光用開口部（開口部１ａ）から退いていくが、シャッタ羽根１５，１６，１７が露光用開口部から完全に退避した後、作動ピン２２ａが長孔２ｊの下端に当接することによって、閉じ用羽根群の開き作動が停止される。そのときにおける開き用羽根群と閉じ用羽根群の状態が、夫々、図４（ａ），図４（ｂ）に示されている。そして、この状態になっても、コイル２９に対しては、上記した一方方向への電流が流し続けられている。
【００３１】
しかしながら、本実施例においては、この状態でコイル２９に対する通電を断ったとしても、リンク部材１４は、ばね２３の付勢力によって上方へは復帰しないようになっている。即ち、この状態における回転子２１の磁極と固定子側の磁性体部材との位置関係が図示されていないが、それらの相対位置関係は、図２（ａ）に示されている、磁性体部材３４と回転子１１との関係と同じ関係になっている。そのため、コイル２９に上記した一方方向への通電が行われていなくても、回転子２１には時計方向への回転力が付与されていることになり、その回転力がばね２３の付勢力よりも強く働くようになっているからである。
【００３２】
次に、図４の状態において、ムービングマグネット型モータＭ１のコイル２８に対し、一方方向への通電が行われる。その結果、図２（ａ）に示した回転子１１のＮ極と磁性体部材３４との間に働いていた矢印Ａ方向の回転力が失われ、且つ同時に回転子１１は反時計方向へ所定の角度だけ回転されることになる。そのため、作動ピン１２ａは、リンク部材４を伴って、図４（ａ）の状態から上方へ作動していく。既に述べたように、ムービングマグネット型モータの場合には、当初、この作動は緩慢であり且つ負荷条件や供給電圧に影響を受け易い。しかしながら、本実施例の場合には、コイル２８に対する上記した一方方向への通電に伴い、ばね１３の付勢力がリンク部材４に作用して上方へ押すので、作動開始当初においては、リンク部材４は、回転子１１の力のみによって作動する場合よりも早く作動し且つ安定して作動することになる。
【００３３】
このようにして、リンク部材４が上方へ作動を開始すると、開き用羽根群のシャッタ羽根５，６，７も、夫々、軸１ｇ，１ｉ，１ｈを中心にして反時計方向へ回転を開始する。そして、ピンホール状態になる前にシャッタ羽根７の突起部７ａが図示していないフォトリフレクタの光路を遮断すると、その出力信号によって露光時間制御回路が始動する。その後、シャッタ羽根５，６，７は、開口部１ａをピンホール状態とし、光軸を中心にして該開口部を開きながらフィルムを露光していく。そして、この開き作動は、開口部１ａを全開にした後、作動ピン１２ａが円弧状の長孔１ｊの上端に当接することによって停止する。そのときの開き用羽根群と閉じ用羽根群の状態が図５（ａ），図５（ｂ）に示されている。
【００３４】
本実施例においては、このようにして停止したシャッタ羽根５，６，７の開き状態は、コイル２８に対する上記した一方方向への通電を続けることによって維持される。しかしながら、本実施例においては、長時間露光を行う場合やバルブ撮影を行う場合において、この状態でコイル２８に対する通電を断ったとしても、リンク部材４は、この状態を維持されるようになっている。即ち、この状態における回転子１１の磁極と固定子側の磁性体部材３４との位置関係は、図２（ｂ）に示されたようになっている。そのため、コイル２８に対する上記した一方方向への通電が断たれても、回転子１１には、そのＳ極と磁性体部材３４との間に引力として働く磁力によって矢印Ｂ方向のような反時計方向への回転力が付与されており、その上、ばね１３の付勢力も加わっているからである。従って、特別な電気的制御手段を用いて、回転子１１の回転が好適に行えるようにした場合には、ばね１３を設けなくても、長時間露光を行う場合やバルブ撮影を行う場合において、コイル２８に対する通電を断つことが可能となる。
【００３５】
その後、所定の時間が経過すると、露光時間制御回路の出力信号に応じて、他方のムービングマグネット型モータＭ２のコイル２９に対する上記した一方方向への通電が断たれ、直ちに逆方向への通電が行われる。それによって、回転子２１と一体の作動部材２２は、図５（ｂ）において反時計方向へ回転し、作動ピン２２ａと長孔１４ａとの連結関係によって、リンク部材１４が上方へ作動することになるが、既に説明したように、回転子２１の回転力のみによって行う作動は、その初期段階においては比較的緩慢である。しかし、本実施例においては、コイル２９に対する上記した一方方向への通電が断たれたときから、ばね２３の付勢力が、リンク部材１４を上方へ作動させるように働くので、リンク部材１４の上方への作動は速やかに行われることになる。
【００３６】
このようなリンク部材１４の上方への作動によって、閉じ用羽根群のシャッタ羽根１５，１６，１７は、軸２ｇ，２ｉ，２ｈを中心にして反時計方向へ回転する。そして、露光用開口部（開口部１ａ）を閉じた後、即ちフィルムの露光が終了した後、作動ピン２２ａが円弧状の長孔２ｊの上端に当接することによって停止する。そのような、露光作動終了直後における、開き用羽根群と閉じ用羽根群の状態が、図６（ａ），図６（ｂ）に示されている。このようにして、閉じ用羽根群のシャッタ羽根１５，１６，１７が閉じ作動を終了すると、ムービングマグネット型モータＭ２のコイル２９に対する逆方向への通電が断たれるが、その状態は、図３（ｂ）の状態と同じであるから、既に述べたように、回転子２１と図示していない磁性体部材との間に働く磁力と、ばね２３の付勢力とによって、この状態が維持される。
【００３７】
その後、ムービングマグネット型モータＭ１のコイル２８に対する上記した一方方向への通電が断たれ、直ちに逆方向への通電が行われる。それによって回転子１１と作動部材１２は、図６（ａ）において時計方向へ回転し、作動ピン１２ａによって長孔４ａの端面を押し、ばね１３の付勢力に抗してリンク部材４を下方へ作動させる。そのため、シャッタ羽根５，６，７は時計方向へ回転し、開口部１ａを閉じて行くが、その閉じ作動は、作動ピン１２ａが長孔１ｊの下端に当接することによって停止する。そして、コイル２８に対する逆方向への通電が断たれると、図３（ａ）の状態となり、以後は、既に図２（ａ）を用いて説明したように、回転子１１と磁性体部材３４との間に働く磁力によって、次の撮影までこの状態が維持されることになる。従って、露光用開口部（開口部１ａ）は、二組の羽根群によって覆われており、漏光防止が確実に行われることになる。
【００３８】
尚、上記の作動説明においては、シャッタ羽根１５，１６，１７に閉じ作動を行わせるために、コイル２９に対して逆方向への通電を行っているが、回転子２１の周面に対向する位置に磁性体部材を配置しないようにした場合には、コイル２９に対する上記した一方方向への通電を断つだけでも、ばね２３の付勢力のみによって、その閉じ作動を行わせることが可能である。また、上記の作動説明においては、閉じ用羽根群が閉じ作動を終了してから、開き用羽根群が閉じ作動を開始する場合で説明したが、開き用羽根群の閉じ作動は、上記した所定時間後における閉じ用羽根群が閉じ作動を開始した後であれば、いつ開始するようにしても差し支えない。
【００３９】
更に、上記の作動説明においては、開き用羽根群が開き作動を停止してから、閉じ用羽根群が閉じ作動を開始する場合で説明したが、本実施例によれば、開き用羽根群が全開状態で停止する直前に、場合によっては開き用羽根群が露光用開口部（開口部１ａ）を全開にする前に、閉じ用羽根群に閉じ作動を開始させるようにすることが可能である。それによって、露光用開口部（開口部１ａ）が全開になるのと殆ど同時に閉じさせるようにすることも、また、全開になる前に閉じていくようにすることも可能になる。
【００４０】
次に、図７及び図８を用いて本発明の第２実施例を説明する。本実施例と第１実施例との相違点は、第１実施例におけるリンク部材４，１４の形状が一部異なるだけである。従って、図７及び図８は、その異なる点だけが分かるように拡大して示しており、第１実施例と同じ部材，同じ部位には同じ符号を付けてある。そして、図７は、図３（ａ）と同じようにして、カメラの不使用時における開き用羽根群の羽根室を視た図である。また、図８は、図３（ｂ）と同じようにして、カメラの不使用時における閉じ用羽根群の羽根室を視た図である。
【００４１】
これらの図から分かるように、リンク部材４，１４には、第１実施例のような長孔４ａ，１４ａが形成されていない。それらに代わって凹部４ｉ，１４ｉが形成されていて、上記したばね１３，２３の付勢力により、それらの底部の端面を作動ピン１２ａ，２２ａに接触させているだけである。但し、このような構成は、ばね１３，２３を設けた場合にのみ可能となることは言うまでもない。また、このような形状に構成した場合には、組立後の調整時又は修理時において、ムービングマグネット型モータの付け替えを行うに際し、作動ピン１２ａ，２２ａとリンク部材４，１４との連結作業が容易になる。尚、撮影時における本実施例の作動については、第１実施例の場合と実質的に同じであるので、その説明を省略する。
【００４２】
尚、上記の各実施例においては、シャッタ羽根の駆動源にムービングマグネット型モータを使用しているが、本発明は、ばねのみによってシャッタ羽根を駆動するものにも適用することが可能である。また、駆動源にモータを使用する場合であっても、ムービングマグネット型モータではなく、ステッピングモータを用いてもよいし、一方をムービングマグネット型モータにし、他方をステッピングモータにしてもよい。また、上記の各実施例においては、作動部材が回転子と一体に構成されているが、周知のようにして別体に構成しても差し支えない。
【００４３】
更に、上記の各実施例においては、リンク部材４，１４が環状をしているが、本発明はこのような形状に限定されるものではない。例えば、第１実施例においてシャッタ羽根５との連結部とシャッタ羽根６との連結部を残し、それらの間を欠落させた円弧状としても構わない。その場合には、開口部１ａを約２４０°にわたって囲むようにした形状となる。更にまた、上記の各実施例においては、シャッタ羽根群を３枚で構成しているが、必要に応じて４枚以上にしても差し支えない。仮に、第１実施例において開き用羽根群を４枚にした場合には、リンク部材４は、開口部１ａを約２７０°にわたって囲む形状にしてもよいことになる。但し、このことは、各シャッタ羽根を開口部の周りに等間隔に配置した場合のことであって、シャッタ羽根を３枚構成にした場合であっても、コンパクト化することを多少犠牲にすれば、２４０°以下の形状にすることが可能になる。
【００４４】
【発明の効果】
上記のように、本発明によれば、環状又は円弧状の二つのリンク部材を、光軸を横切る方向へ所定のタイミングで夫々往復作動させ、夫々３枚以上で構成された開き用羽根群と閉じ用羽根群によって露光作動を行うようにしたカメラ用シャッタにおいて、カメラの不使用時には、開き用羽根群と閉じ用羽根群の両方のシャッタ羽根によって露光用開口部を閉じており、露光作動に先立って、閉じ用羽根群のシャッタ羽根を開き位置へ作動させてから、露光作動が行われるようにしたから、カメラの不使用時において漏光によってフィルムを感光させてしまうような心配がなくなる。また、それによって、レンズ口径の比較的大きなカメラに組み込むシャッタとして、高速化やコンパクト化に有利なものとすることが可能になる。
【図面の簡単な説明】
【図１】第１実施例の全体像を理解するのに必要な断面図である。
【図２】第１実施例における開き用羽根群の駆動源に用いられているムービングマグネット型モータの機能を説明するための図であって、図２（ａ）はシャッタ羽根を閉じさせている状態を示し、図２（ｂ）はシャッタ羽根を開かせている状態を示している。
【図３】第１実施例におけるカメラの不使用状態を示す平面図であって、図３（ａ）は開き用羽根群の羽根室内を、図３（ｂ）は閉じ用羽根群の羽根室内を示している。
【図４】第１実施例における露光作動開始直前の状態を示す平面図であって、図４（ａ）は開き用羽根群の羽根室内を、図４（ｂ）は閉じ用羽根群の羽根室内を示している。
【図５】第１実施例における全開状態を示した平面図であって、図５（ａ）は開き用羽根群の羽根室内を、図５（ｂ）は閉じ用羽根群の羽根室内を示している。
【図６】第１実施例における露光作動終了直後の状態を示した平面図であって、図６（ａ）は開き用羽根群の羽根室内を、図６（ｂ）は閉じ用羽根群の羽根室内を示している。
【図７】第２実施例の要部平面図であって、カメラの不使用時における開き用羽根群の羽根室内を一部だけ示している。
【図８】第２実施例の要部平面図であって、カメラの不使用時における閉じ用羽根群の羽根室内を一部だけ示している。
【符号の説明】
１，２                      シャッタ地板
１ａ，２ａ，３ａ            開口部
１ｂ，２ｂ                  壁
１ｃ，２ｃ                  台座
１ｄ，１ｅ，１ｆ，２ｄ，２ｅ，２ｆ  受け部
１ｇ，１ｈ，１ｉ，１ｋ，２ｇ，２ｈ，２ｉ，２ｋ  軸
１ｊ，２ｊ，４ａ，４ｆ，４ｇ，４ｈ，１４ａ，１４ｂ，１４ｆ，１
４ｇ，１４ｈ  長孔
１ｍ，２ｍ                  ばね掛け部
１ｎ，２ｎ                  窓部
３                          隔壁板
４，１４                    リンク部材
４ｂ                        係接部
４ｃ，４ｄ，４ｅ，１４ｃ，１４ｄ，１４ｅ  張出部
４ｉ，１４ｉ                凹部
５，６，７，１５，１６，１７  シャッタ羽根
７ａ，１７ａ                突起部
８，９，１０，１８，１９，２０  連結軸
１１，２１                  回転子
１２，２２                  作動部材
１２ａ，２２ａ              作動ピン
１３，２３                  ばね
Ｍ１，Ｍ２                  ムービングマグネット型モータ
２４，２５                  上枠
２６，２７                  下枠
２８，２９                  コイル
３０，３１                  ヨーク
３２，３３                  ビス
３４                        磁性体部材
【図１】
0003822956.tif 000002
【図２】
0003822956.tif 000003
【図３】
0003822956.tif 000004
【図４】
0003822956.tif 000005
【図５】
0003822956.tif 000006
【図６】
0003822956.tif 000007
【図７】
0003822956.tif 000008
【図８】
0003822956.tif 000009